Podtech/llm-jp-corpus-v4-ja_patent huggingface dataset:
(57)【要約】      （修正有）【課題】従来のペット用食器の多くは単なる皿状をしており、地面や床に直接載置して犬や猫などのペットの食事の用に供しており、ペットは頭を下げた不自然な姿勢で食事をしなければならず、食べこぼしをしやすく、周囲を汚しやすかった。【解決手段】柱状をなし、下端には径の大きいつば部が、上端にはすりばち状にくぼんだ受け部がそれぞれ形成された基部と、裏面側には前記受け部に挿入される凸部が、表面側には餌や水を収容する凹部がそれぞれ形成された皿部とからペット用食器を構成し、前記基部に皿部を取りはずし自在に載置出来る様にした。【選択図】図２
0003126603.tif 000002
【実用新案登録請求の範囲】
【請求項１】
柱状をなし、下端には径の大きいつば部が、上端にはすりばち状にくぼんだ受け部がそれぞれ形成された基部と、裏面側には前記受け部に挿入される凸部が、表面側には餌や水を収容する凹部がそれぞれ形成された皿部とからなり、前記基部に皿部を取りはずし自在に載置出来る様になっていることを特徴とするペット用食器。
【考案の詳細な説明】
【技術分野】
【０００１】
この考案はペット用食器、詳しくは犬や猫などが安定した姿勢で餌や水を摂取することが出来るペット用食器に関するものである。
【背景技術】
【０００２】
犬や猫などのペットは人間の大切な仲間であり、多くの人が飼育しており、これに伴い、ペット用の食器も色々なものが提案されている。
【特許文献１】なし
【非特許文献１】なし
【考案の開示】
【考案が解決しようとする課題】
【０００３】
従来のペット用の食器の多くは単なる皿状をなしており、地面や床に直接載置する様になっていたので、その中に入れられた餌や水を犬や猫などのペットが摂取しようとするときは、口元が餌や水に届く様にする為に、頭部を低く下げなければならず、不安定な姿勢をとる必要があった。従って、餌や水を食べこぼして容器の外に散らしてしまうことも多く、飼い主はその後始末が大変であった。又、特に犬の場合は、その習性上、餌をガツガツと一気に食べることが多いが、不自然な姿勢での摂取であるので、むせて吐き出してしまうこともあり、床面を汚すことも多かった。
【０００４】
本考案は、犬や猫などのペットの食事に関する上記問題点を解決する方策を鋭意研究した結果、ペットに無理のない安定した姿勢で食事をさせることが出来る、便利なペット用食器を開発することに成功し、本考案としてここに提案するものである。
【課題を解決するための手段】
【０００５】
柱状をなし、下端には径の大きいつば部が、上端にはすりばち状にくぼんだ受け部がそれぞれ形成された基部と、裏面側には前記受け部に挿入される凸部が、表面側には餌や水を収容する凹部がそれぞれ形成された皿部とからペット用食器を構成し、前記基部に皿部を取りはずし自在に載置出来る様にすることにより、上記課題を解決した。
【実施例】
【０００６】
図１はこの考案に係るペット用食器の一実施例の斜視図、図２は同じく、その構成部分を分離した状態の斜視図、図３は実際にペットがこのペット用食器を用いて食事をしている状況の斜視図である。
【０００７】
図中１は基部であり、柱状をなしており、下端には径の大きい円板上をなしたつば部２が形成されており、地面や床面に安定して載置出来る様になっている。なお、このつば部２は、基部１と一体的に形成しても良く、別体のものを後付けする様にしても良い。又、この基部１の上端は、拡径していると共に、その内側はすりばち状にくぼんでおり、後記する皿部を支持する受け部４となっている。なお、この基部１の高さは図３に示す様に、犬や猫などのペットが前足を立てた状態で頭を下げずにその上端に接せられる程度の寸法となっている。
【０００８】
一方、図中５は皿部であり、その裏面側には前記受け部４の形状に対応した形状の凸部６が形成されており、前記受け部４に安定的に挿入載置出来る様になっている。又、その表面側には餌や水を収容する凹部７が形成されている。これら基部１、皿部５はプラスチック、陶器、金属など従来のペット用食器に用いられているものと同じ素材で構成されている。
【０００９】
この実施例は上述の通りの構成を有するものであり、基部１の上端に皿部５を載置し、この皿部５の凹部７に水や餌を収容して図３に示す様に、犬や猫などのペットの食事に供する。その際、基部１は適当な高さを有するので、犬や猫などのペットは頭を不自然に下げずに前足を立てて安定した状態で水や餌を摂取することが出来るので、食べこぼしたりむせたりすることがなく、落ち着いて食事をすることが出来る。
【００１０】
一方、基部１と皿部５とは分離可能になっているので、食事終了後はこれらを分離して水洗いしたり、しまったりすることが出来、取扱いも容易で後始末も簡単である。
【図面の簡単な説明】
【００１１】
【図１】この考案に係るペット用の食器の一実施例の斜視図。
【図２】同じく、その構成部分を分離した状態の斜視図。
【図３】実際にペットがこのペット用食器を用いて食事をしている状況の斜視図。
【符号の説明】
【００１２】
１    基部
２    つば部
４    受け部
５    皿部
６    凸部
７    凹部
【図１】
0003126603.tif 000003
【図２】
0003126603.tif 000004
【図３】
0003126603.tif 000005
(57)【要約】【課題】    羽子板ボルトを取付け緊結し、外装材を張った木材が乾燥収縮してゆるんだ場合後からの増し締めが難しいことの解消。【解決手段】    ねじを左ねじ２に切った羽子板ボルトＡ１と、それを受けるナット４を一端に取り付け他端に右ねじ５を切ったボルト３と接続し、一体として構成された増し締め羽子板ボルト１により、この課題を解決する。【選択図】図１
0003126173.tif 000002
【実用新案登録請求の範囲】
【請求項１】
ねじを左ねじに切った羽子板ボルトと、それを受けるナットを一端に取り付け、他端に右ねじを切ったボルトと接続し、一体として構成された増し締め羽子板ボルト。
【考案の詳細な説明】
【技術分野】
【０００１】  本考案は、木造建築で使用する構造金物の増し締め羽子板ボルトに関する。
【背景技術】
【０００２】  従来の木造建築では、構造金物として通し柱と横架材の仕口、梁と桁など接合部に羽子板ボルトで緊結していた。（図２）。
【考案の開示】
【考案が解決しようとする課題】
【０００３】  しかし、これでは、外側に面した部分に外装材を張ると木材が乾燥収縮してゆるんでも、後から締めることが難しかった。
【課題を解決するための手段】
【０００４】  そこで、ねじを左ねじに切った羽子板ボルトと、それを受けるナットを一端に取り付け他端に右ねじを切ったボルトと接続し、一体として構成された増し締め羽子板ボルトを考案した。この増し締め羽子板ボルトにより簡単に増し締めすることができる。
【考案の効果】
【０００５】  よって、本考案の増し締め羽子板ボルトにより、木材が乾燥収縮してゆるんでも、後から内側のナットを回すことにより増し締めすることができ、台風や地震に強くなる。
【考案を実施するための最良の形態】
【０００６】  本考案に係る増し締め羽子板ボルト１は、図１に示すように、羽子板ボルトＡ１のねじは左ねじ２である。これを受けるナット４を取り付けたボルト３の他端は右ねじ５である。これらを接続し一体として従来のように、桁９に通し梁８に取り付けボルト１０で締め、座金６をはめナット７で締める。
後日ゆるんだ場合はナット４を回すことにより増し締めすることができる。
【図面の簡単な説明】
【０００７】
【図１】  本考案に係る増締め羽子板ボルトを使用した側面図である。
【図２】  従来の羽子板ボルトを使用した側面図である。
【符号の説明】
【０００８】  １        増締め羽子板ボルト
Ａ、Ａ１  羽子板ボルト
２        左ねじ
３        ボルト
４、７    ナット
５        右ねじ
６        座金
８        梁
９        桁
１０      取り付けボルト
【図１】
0003126173.tif 000003
【図２】
0003126173.tif 000004
(57)【要約】【課題】本考案は写真等を飾る際に使用する、既存の接着剤付バックシートの貼り付け作業が難しく、技術を要する事と、剥がす事は不可能等の難点がある。【解決手段】本考案は写真等の背面に、必要数のパンチ穴を設けたバックシートを重ね、背後のパンチ穴個所において接着テープで固定し、飾り付けた写真等の安定と、飾り付け作業、取り外し作業の問題を解決する。【選択図】図２
0003126178.tif 000002
【実用新案登録請求の範囲】
【請求項１】
プラスチック様のシート素材に数個所のパンチ穴を設けた構造としたもので、写真等を飾る際に、その背面に重ね、パンチ穴個所で接着テープを用いて貼り付け、固定する事を可能にしたパンチ穴付バックシート。
【考案の詳細な説明】
【技術分野】
【０００１】  本考案は、写真等を飾る際、背面に重ねて使用する、バックシートに関するものである。
【背景技術】
【０００２】  写真等を飾る際、写真の中央部が膨らんだり位置がずれたりする懸念があり、接着テープを用いて直接固定したり、接着剤付バックシートを使用していた。
【考案の開示】
【考案が解決しようとする課題】
【０００３】  写真等を上から直接、接着テープで固定した場合、写真等の平面性を維持する事が難しく、又、取り外す際に写真等を大きく傷つける難点がある。接着剤付バックシートの場合は貼り付け作業に難があり、しかも一度使用したバックシートを剥がす事は不可能である。従って、本考案は、バックシートの貼り付けを背後から接着テープを用いて行う事から、作業が簡単で、且つ、剥がす事が容易に可能となり、前述の難点を解決しようとするものである。
【課題を解決するための手段】
【０００４】  本考案は、プラスチック様シート素材の必要個所に複数のパンチ穴を設けたもので、写真等の背面に重ね、その背後から各パンチ穴個所に覗く写真等の背面とバックシートとを接着テープを用いて貼り付け、固定する事により問題点を解決している。
【考案の効果】
【０００５】  上述の様に、本考案のパンチ穴付バックシートは、写真等の背面に重ねて、その背後から、各パンチ穴個所で接着テープを用いて貼り付け固定するもので、勿論写真等の平面の維持や、位置ずれは防止され、しかも各パンチ穴個所の接着テープを剥がす事で、写真等とバックシートを損傷なく容易に離す事が可能となる。
【考案を実施するための最良の形態】
【０００６】  写真等の寸法に合わせたパンチ穴付バックシートを使用し、平面な台等の上に、写真等を裏向きに置き、その上に当該バックシートを所定の位置に合わせて重ね、各パンチ穴個所の下に覗く写真等の背面とバックシートとを接着テープで順次貼り付けてゆき、全体を固定さす。又、当該バックシートを離す場合は、当接着テープを剥がす事で可能となる。
【実施例】
【０００７】  以下、添付図面に従って一実施例を説明する。１は写真等の寸法に合わせて、パンチ穴数を設けたパンチ穴付バックシート、２は写真等の背面、３はバックシートのパンチ穴、４は接着テープ。【０００８】本考案の一実施例は上記の如き構成からなるものであるから、写真等の背面と当該バックシートを重ね、バックシートの背後から接着テープを用いて固定するものであるから、写真等とバックシートを離す場合は、その接着テープを剥がす事で可能となる。
【図面の簡単な説明】
【０００９】
【図１】本考案のパンチ穴付バックシートの斜視図である。
【図２】写真等の背面所定位置に本パンチ穴付バックシートを重ねた斜視図である。
【図３】図２、Ａ個所部分の拡大図。
【符号の説明】
【００１０】  １  パンチ穴付バックシート
２  写真等の背面
３  パンチ穴
４  接着テープ
【図１】
0003126178.tif 000003
【図２】
0003126178.tif 000004
【図３】
0003126178.tif 000005
(57)【要約】      （修正有）【課題】保管中は保管物が毀損されないように固定することができ、取り出す際は必要量を容易に取りだすことが出来て、極く小さなスペースに収納可能にする。【解決手段】本考案は、伝票などを纏めて保管するファイル状の表紙の内側に、縦約３０ミリ前後の横長の硬質紙の下辺を、開閉可能な方式で約３０ミリづつ下にずらしてル−バ−状に５〜６枚貼付け、これと表紙の間に保管物を収納することにより、毀損のない保管と容易な取りだしを可能とした。【選択図】図１
0003126177.tif 000002
【実用新案登録請求の範囲】
【請求項１】
開閉自在なルーバー状の仕切板で、挾み込み可能な部分を設けることにより印紙や切手を容易に出し入れでき、又極めて僅少なスペースでその保管が可能な印紙切手類の保管用品
【考案の詳細な説明】
【技術分野】
【０００１】本考案は印紙切手等の収納摘出が効率的で、又保管が僅かなスペ−スでできる、内部にル−バ−状の仕切を装着した印紙切手の保管用品である
【背景技術】
【０００２】現在印紙・切手の保管には、小引出し・ケース・クリアファイル等を使用していたが、夫々収納や取りだしが非効率な点があるか、又は収納物に比して大きな保管スペ−スが必要であった
【考案の開示】
【考案が解決しようとする課題】
【０００３】保管中は保管物が毀損されないように固定することができ、取り出す際は必要量を容易に取りだすことが出来て、極く小さなスペースに収納可能にすることにより課題の欠点を解決しようとするものである。
【課題を解決するための手段】
【０００４】本考案は、伝票などを纏めて保管するファイル状表紙の内側に、縦３０ミリ前後の横長の硬質紙の下辺を、開閉可能な方式で約３０ミリづつ下にずらしてル−バ−状に５〜６枚貼付け、これと表紙の間に保管物を収納することにより、毀損のない保管と容易な取りだしを可能として、問題を解決している
【考案の効果】
【０００５】上述のように表紙裏面と横長の硬質紙（以下イと記述）間に保管物を収納しイを閉じることにより固定され、イを開らけば簡単に取り出しが可能となるまた取り出したい切手や印紙のミシン目を、イの一端に合わせてイを押さえながら手前に引くことにより必要枚数を切り離し取り出すことができる
【考案の実施するための最良の形態】
【０００６】本考案は、縦約１８０ミリ、横約２２０ミリ、厚さ０．５ミリ程度の硬質紙を、幅５ミリ程度の背表紙をつけて二つ折にしたファイル状の表紙の内側に縦約３０ミリ、横約１７０ミリに切ったの硬質紙（上記イ）の下辺を扉の様に開閉可能な方式で、イの縦の幅ずつ下方にずらして、ル−バ−状に５〜６枚貼付け、これと表紙の間に保管物を収納することにより、毀損のない保管と容易な取りだしが可能となる。更に内側対面に郵便料金表・印紙税額一覧表等を貼っておくと一層効率的に使用できる。
【実施例】
【０００７】以下添付図面を参照して実施例を説明する、アは厚さ０．５ミリ程度の硬質紙を、幅５ミリ程度の背表紙をつけて二つ折にしたファイル状の表紙であるアの内側に、縦約３０ミリ、横約１７０ミリに切ったの硬質紙イの下辺を扉の様に開閉可能な方式で、イの縦の幅ずつ下方にずらしてル−バ−状に５〜６枚貼付ける、アを開いた状態でイの上端を手前に引けば印紙や切手を容易に出し入れできる。又イとアを閉じれば僅少なスペースに、保管することが出来る。
【図面の簡単な説明】
【０００８】
【図１】本考案のファイル状の表紙及びその内側の実施例の見取り図である破線と矢印は本品の使用に際し開閉する移動を示す図である。
【符号の説明】
ア  ファイル状の表紙
イ  下辺をアの内側に貼付た、縦約３０ミリ、横約１７０ミリの硬質紙
ウ  イをアの内側に接するように閉じたときの図
エ  証紙類出し入れのとき、イの上辺を手前に引いて開いた状態の図
【図１】
0003126177.tif 000003
(57)【要約】【目的】  被結束物を空間・隙間なく円型に締め付ける結束ベルト【構成】  円型結束ベルト１に対して結束ゲート３を、ベルト先端部２が平行に挿入するように設け、ベルト先端部２を結束ゲート３に挿入し引き締めると結束ベルト凹溝４と結束ゲート凸溝５の噛み合わせにより、つねに円型に締まっていく。また、締め付けた結束ベルト１を引き離す時には、引抜把手６を引き上げる事で結束ベルト凹溝４と結束ゲート凸溝５が離脱する。よって結束ゲート３より円型結束ベルト１のベルト先端部２迄引き抜く事が出来る。【選択図】図３
0003126185.tif 000002
【実用新案登録請求の範囲】
【請求項１】
（イ）  結束ベルトに対して結束ゲートを、ベルト先端部が最後部より平行に挿入するように設け、ベルト先端部を挿入し引き締めると、結束ベルトは結束ベルト凹溝と、結束ゲート凸溝の噛み合わせにより、つねに円型に締まる。
（ロ）  結束ベルトの引抜把手を引き上げる事で、結束ベルト凹溝と結束ゲート凸溝が離脱する。よって結束ゲートより結束ベルトをベルト先端部迄引き抜く事が出来る。
以上の構成を有する、円型結束ベルト
【考案の詳細な説明】
【考案の詳細な説明】
この考案は、円型に締まる結束ベルトに関するものである。
従来、結束ベルトは結束ゲートが本体下部直角にあり、結束使用すると結束面が水滴型のような変型になる。そのため被結束物との間に空間ができ完全に結束できなかった。
この考案は、上記の欠点を除くために考案されたもので、これを図面に示す実施例について説明すれば、
（イ）結束ベルト１に対して結束ゲート３を、ベルト先端部２の最後部・反対方向より平行に挿入するように設ける。
（ロ）ベルト先端部２を結束ゲート３へ挿入し引き締めていくと、結束ベルト凹溝４と結束ゲート凸溝５の噛み合わせにより、結束面がつねに円型状に締まっていく。
（ハ）結束ベルト１の引抜把手６を引き上げる事で、結束ベルト凹溝４と結束ゲート凸溝５が離脱する。よって結束ゲート３より結束ベルト１をベルト先端部２迄引き抜く事が出来る。
以上のように構成された、円型結束ベルトである。
この考案は以上のような構造であるから、これを、単物、複数物、変形物等の結束に使用するも、被結束物との間に空間・隙間が少なく結束され、同形複数物にあっては結束内部圧力が各均等になり、併せて、結束ベルト凹溝が外周部にあるため、被結束物との接触がなく結束時の摩擦抵抗も少なく、円滑な結束で被結束物への締付力、損傷も従来のものよりも軽微である。
【図面の簡単な説明】
【図１】  本考案の平面図
【図２】  本考案の側断面図
【図３】  本考案の実施例の側断面図
【符号の説明】
１：円型結束ベルト
２：ベルト先端部
３：結束ゲート
４：結束ベルト凹溝
５：結束ゲート凸溝
６：引抜把手
【図１】
0003126185.tif 000003
【図２】
0003126185.tif 000004
【図３】
0003126185.tif 000005
(57)【要約】【課題】  本考案は、携帯電話を片手で保持して使用する際に、片手でのキー操作を容易にさせ、本体を誤って落下させることも防げる、携帯電話用指ストラップを提供する。【解決手段】本考案は、ループ状のベルトストラップ（１）の裏面に両面粘着テープ（２）を設けたことを特徴とする。両面粘着テープ（２）をつかい、携帯電話本体（３）の背面の適当な位置にベルトストラップ（１）を固定し、指を通して携帯電話を保持する。片手での電話機の保持が安定し、メール作成時などのキー操作が容易かつ迅速になる。さらには、うっかり携帯電話を落とすことも未然に防止できる。【選択図】図２
0003126188.tif 000002
【実用新案登録請求の範囲】
【請求項１】
ベルトストラップ（１）の裏面に両面粘着テープ（２）を設ける。
以上の構成よりなる携帯電話用指ストラップ。
【考案の詳細な説明】
【技術分野】
【０００１】本考案は、指を通すベルトに両面粘着テープを設けた、携帯電話用指ストラップに関するものである。
【背景技術】
【０００２】従来、携帯電話を片手で保持してキー操作を行なうことは困難で、誤って電話機を落下させることがあった。
【考案の開示】
【考案が解決しようとする課題】
【０００３】従来、携帯電話を片手で保持して、メール作成やキー操作を行なうことは困難で、慣れや経験を要すうえ不安定なので誤って電話機を落下させることがあった。
本考案は、以上のような欠点をなくすためになされたものである。
【課題を解決するための手段】
【０００４】本考案は、ベルトストラップ（１）の裏面に両面粘着テープ（２）を設ける。
本考案は、以上の構成よりなる携帯電話用指ストラップである。
【考案の効果】
【０００５】（イ）両面粘着テープで携帯電話本体裏面の適当な位置に貼り付けることにより、簡単に携帯電話に取り付けができる。
（ロ）ベルトストラップ部分に指を通して携帯電話を保持できるので、片手でのキー操作が安定するとともに、誤って携帯電話を落下させることも防止できる。
【実用新案を実施するための最良の形態】
【０００６】以下、本考案を実施するための最良の形態について説明する。
ループ状のベルトストラップ（１）の裏面に、両面粘着テープ（２）を設ける。
本考案は、以上の構成でこれを使用するときは、両面粘着テープ（２）でベルトストラップ（１）を携帯電話本体（３）の裏面の適当な位置に貼付する。ベルトストラップ（１）に指を通して携帯電話を片手で保持すれば、キー操作が安定する。
【図面の簡単な説明】
【０００７】
【図１】    本考案の斜視図である。
【図２】    本考案の使用状態をあらわす斜視図である。
【符号の説明】
【０００８】  １    ベルトストラップ
２    両面粘着テープ
３    携帯電話本体
【図１】
0003126188.tif 000003
【図２】
0003126188.tif 000004
(57)【要約】【課題】本考案はファッション下着を着用している時に用をたすための股下係止部をスナップ等の適宜部材を介してたさねばならず多くの手間やむれ、背肩腰などが引っぱられる不快感などを緩和することを提供する。【解決手段】本考案は着用したまま用をたせる様ブラジャー、ウエストニッパーとショーツそれぞれの働きに合った伸縮性適宜部材を採用し、ウエストニッパーとショーツを前側下腹中央の一部を縫着、接続し、両脇、後背腰は縫着せず上げ下げ自在な調整部として設け、むれ防止にメッシュ部材をショーツの後中央に１本縦に縫着しでん部のもちあがるＵ型デザインとし着用していて用をたすこと、むれ防止、背腰肩の引っぱりを解決する。【選択図】図２
0003126182.tif 000002
【実用新案登録請求の範囲】
【請求項１】
ウエストニッパーのすその前後をでん部近く迄の長さとしショーツを上に重ね前側下腹部の中央を一部横に縫着、接続し、両脇、背腰は縫着せず伸縮性適宜素材とでん部をあげるＵ型デザインで上げ下げ自在な開口、調整を特徴としたファンデーション下着。
【考案の詳細な説明】
【技術分野】
【０００１】  本考案はファンデーション下着を着用したまま簡単に用をたすことが出来る下着に関するものである。
【背景の技術】
【０００２】  従来女性用のファンデーション下着として、美的に体型を整えるため使用されるボディスーツがあり、股下部につけたスナップなど適宜係止部を介して用をたすデザインが一般的である。（特許文献１参照）
【特許文献１】登録実用新案第３０８４０１７号
【特許文献２】登録実用新案第３０５９８８７号  特許文献２の考案は、係止部を背側に持ってきたのは本考案と似ているが、本考案は素材の伸縮性とデザインとでショーツ型のガードルの上げ下げを自在にし用をたすことが簡単、楽に出来、部具を使用しないところに相違がある。
【考案の開示】
【考案を解決しようとする課題】
【０００３】  上述の様な従来の技術では着用時前屈みになり股下部をスナップ等の適宜係止部を介して用をたさねばならず多くの手間やむれなどの不快感がある。
【課題を解決するための手段】
【０００４】  前記課題を解決する手段として本考案は伸縮性適宜素材を採用したウエストニッパーとショーツとを前側下腹部３分の一縫着接続し、背側は縫着せずに上げ下げ自在とし背腰のフィットとむれ防止にメッシュ部材をショーツ後の中央に一本縫着しでん部の持ちあがるＵ型デザインとする。
【発明の効果】
【０００５】  背腰を接続していないのでひきしめ効果多少劣るが下腹部を縫着したことで下腹部を押さえる作用が働き、また縫着部分が少ない分背、腰、肩がひっぱられる不快感やむれもなく体にやさしく簡単楽に用をたせる。
【考案を実施するための最良の形態】
【０００６】  ボディスーツをブラジャー、ウエストニッパー、ショーツと分けた時素材は各部の働きに合った伸縮性適宜部材を採用しウエストニッパーはひきしめ効果のある部材腰をおおう働きが必要で、でん部近く迄の長さとしショーツは下腹部を押さえる働きと上げ下げを自在とするためソフトな伸縮性部材、長さは下腹部迄とする。【０００７】  むれ防止に伸縮性メッシュ部材をバイヤスにしショーツの中央縦に縫着する。【０００８】  でん部を持ち上げる伸縮性紐状部材は尾てい骨のあたらない位置迄とする。【０００９】  ショーツ後背腰部のデザインをでん部のもちあがるＵ型とする。【００１０】  ウエストニッパーの下腹部分をショーツの中に入れ、ウエストニッパーの下腹部分とショーツを重ね前側下腹部分の中央を縫着接続する。【００１１】  両脇、後背、腰はショーツの上げさげを楽にするため縫着しないが、ウエストニッパーの長さをでん部近く迄とし素材とＵ型デザインで体にフィットし、あいていることで調整部となる。
【実施例】
【００１２】  以上添付は図面に従って一実施例を説明する。１は伸縮性適宜部材を各部の働きに応じて採用し活用するボディスーツ、２はブラジャー部、３はウエストニッパー部、４はショーツ部とし３ウエストニッパーの下に４ショーツを上に重ね前側下腹部の中央を５縫着接続。【００１３】  ３ａ後側ウエストニッパーを４ａショーツの内に入れ、上げ下げ自在な５ａ調整部とする。【００１４】  本考案の一実施例は上述の如き構成からなるものであるからウエスト部が高い位置にあり下すのが不便な衣類には便利である。
【図面の簡単な説明】
【００１５】
【図１】本考案の実施例を示す正面図である。
【図２】本ショーツ型ガードルの上げ下げする調整部の背面図である。
【図３】着用していない時のショーツ背面図である。
【符号の説明】
【００１６】  １  ボディスーツ本体
２  ブラジャー
３  ウエストニッパー
４  ショーツ型ガードル
５  縫着、接続
６  着用していない時のショーツ
【図１】
0003126182.tif 000003
【図２】
0003126182.tif 000004
【図３】
0003126182.tif 000005
(57)【要約】【課題】本考案は励磁スピーカの励磁直流電源回路において、励磁コイルに逆起電力が存在し、磁界で結合しているボイスコイルの駆動に悪影響を与えているため音質がわるい。そこで逆起電力回生回路付励磁電源装置を提供する。【解決手段】逆起電力回生素子１及び逆流防止用素子２のカソードを励磁コイル４（＋）側に接続、該逆起電力回生素子（ＳＢＤ）１のアノードを励磁コイル４（−）側に接続、該逆流防止用素子（ＳＢＤ）２アノードを電源３（＋）側に接続、逆起電力を回生することでボイスコイルの駆動の低下が改善できる。【選択図】図１
0003126184.tif 000002
【実用新案登録請求の範囲】
【請求項１】
励磁スピーカの励磁直流電源回路において、ボイスコイルの駆動により励磁コイル側に逆起電力が発生、逆起電力回生素子のカソードを励磁コイル（＋）側に接続し、該逆起電力回生素子のアノードを励磁コイル（−）側に接続し、逆流防止用素子のカソードを逆起電力回生素子のカソードに接続、該逆流防止用素子のアノードを励磁電源（＋）端子に接続し、励磁電源（−）端子は励磁コイル（−）側に接続し、逆起電力を回生させることを特徴とする逆起電力回生回路付励磁電源装置。
【請求項２】
逆起電力回生素子及び逆流防止用素子の特徴として、微小電圧の領域から逆起電力を回生出来る、多数キャリア素子で、低リーク電流、低ＶＦを特徴とするショットキ・バリヤ・ダイオードで請求項１に記載の逆起電力回生回路付励磁電源装置。
【考案の詳細な説明】
【技術分野】
【０００１】本考案は励磁スピーカの励磁直流電源回路に関する。
【背景技術】
【０００２】図２、従来の励磁直流回路ではただスピーカの磁石を励磁する設計になっているが、現実はスピーカのボイスコイルが動くたび磁界で結合されれている励磁コイルに逆起電力が発生ボイスコイルはこれを背負って動かなければならない、この逆起電力にに対する対策は全くされていないのが現状。
【考案が解決しようとする課題】
【０００３】しかしながら上記従来回路では何も対策がされていないのが現状、ボイスコイルは励磁コイルに発生した逆起電力を背負って動かなければならないため、音声信号を音に変換するのにタイムラグが出来、鮮度の低い音になってしまう。
【課題を解決するための手段】
【０００４】上記目的を達成するため、逆起電力回生素子（低リークＳＢＤ）のカソードを励磁コイル（＋）側に接続、該ＳＢＤのアノードを励磁コイル（−）側に接続し、逆流防止用素子のカソードを励磁コイル（＋）側、該ＳＢＤのアノードを励磁電源（＋）端子に接続することを特徴とする逆起電力回生回路付励磁電源装置。
【０００５】逆起電力回生素子及び逆流防止用素子は多数キャリア素子（低リークＳＢＤ）で構成することを特徴とする逆起電力回生回路付励磁電源装置。
詳しく説明すると励磁コイル（−）側に発生する電圧を速やかに電流として回生させるには理論上、伝導度変調で整流する、少数キャリア素子（ダイオード）では順回復時間が存在するため、回生素子にはむかない。微小電圧領域から即電流として流す、多数キャリア素子で低リーク、（＋側の印加電圧に耐る）、低ＶＦショットキ・バリア・ダイオードのみが可能となる。
【考案の効果】
【０００６】逆起電力回生素子及び逆流防止用素子のカソードを励磁コイル（＋）側に接続、該逆起電力回生素子（ＳＢＤ）のアノードを励磁コイル（−）側に接続、逆流防止用素子（ＳＢＤ）アノードを電源（＋）側２接続することで、励磁コイル（−）側に発生した電位が励磁コイル（＋）側に回生、電流として流すことで、ボイスコイルの動きが励磁コイルときりはなされ自由にうごくことが出来、より正確な音声信号の再生が可能となる。
【考案を実施するための最良の形態】
【０００７】逆起電力回生素子及び逆流防止用素子のカソードを励磁コイル（＋）側に接続、該逆起電力回生素子（低リークＳＢＤ）のアノードを励磁コイル（−）側に接続、逆流防止用素子（低リークＳＢＤ）アノードを電源（＋）側に接続することを特徴とする逆起電力回生回路付励磁電源装置。
【実施例】
【０００８】本願考案の実施例を図１に示す。電源３は正極端子（＋）と負極端子（−）を備え、正極端子は、逆流防止用素子（低リークＳＢＤ）２アノードに接続され、該逆流防止用素子（低リークＳＢＤ）カソードは逆起電力回生素子（低リークＳＢＤ）１のカソードに接続される。負極端子（−）は逆起電力回生素子（低リークＳＢＤ）１のアノードと励磁コイル４（−）に接続、該逆起電力回生素子（低リークＳＢＤ）１のカソードは励磁コイル４（＋）に接続、（−）ラインに発生する、逆起電力を励磁コイル（＋）側に回生する。【０００９】本願の特徴である逆起電力回生素子１は励磁コイル４（−）ライン側に発生逆起電力をを速やかに回生させるための理想の素子、多数キャリア素子（低ＶＦ、低リーク特性を持つ）低リーク、ＳＢＤであり、該ＳＢＤのアノード側は励磁コイル４（−）の負極側に、カソード側は励磁コイル４（＋）側に夫々接続される。【００１０】以上のように、励磁コイル４（−）ライン側に発生する逆起電力を（＋）側に回生させる、本願考案の手段によりできたので、スピーカのボイスコイルを正確に動かすその実用的価値は大きい。
【図面の簡単な説明】
【００１１】
【図１】本願考案の実施例を示すブロック図である。
【図２】従来例を示すブロック図である。
【符号の説明】
１−−−逆起電力回生素子（ＳＢＤ）
２−−−逆流防止素子（ＳＢＤ）
３−−−ＤＣ電源
４−−−励磁コイル
５−−−励磁マグネット
６−−−ボイスコイル
【図１】
0003126184.tif 000003
【図２】
0003126184.tif 000004
(57)【要約】【課題】本考案は、生コン積載直後に生コン車の運転手がホッパーを洗浄しなくてすむようにし、コンクリ−トの品質低下を防止する。【解決手段】生コン車のホッパーを、(a)の前部保護シート・(b)の後部保護シートで保護する事によりコンクリートのホッパーへの付着を防ぎ、生コン積載直後に生コン車の運転手がホッパーを洗浄しなくてすむようにする。また(c)の後部補助(磨耗防止)シート・(d)の前部補助(雨除け)シートを併設し、より効果的に生コンへの加水を防ぎ、洗浄水や雨水によるコンクリートの品質低下を防止する。【選択図】  図１
0003126195.tif 000002
【実用新案登録請求の範囲】
【請求項１】
生コン車のホッパーを前部・後部に分けて覆い保護するシートであって、前部と後部のシートはそれぞれの紐で前部補助シート・後部補助シートを装着し、前部補助シートで雨水のホッパーへの流入を防ぎ、後部補助シートで後部シートの磨耗を防止し、前部シートの紐と後部シートの紐を結合する事により、前部シートと後部シートが一体化する生コン車のホッパー保護シート。
【考案の詳細な説明】
【技術分野】
【０００１】
本考案は生コン車のホッパーを保護する付属品に関するものである。
【背景技術】
【０００２】
生コン積載後、ホッパーに付着したコンクリートをそのままにしておくと固着して後々のメンテナンスが大変になる。そのため多くの運転手は、禁止されているにもかかわらず、生コン積載後に直ちにホッパーを洗浄し、その洗浄水が積載した生コンに加水される事により品質低下を引き起こしている。
【考案の開示】
【考案が解決しようとする課題】
【０００３】
コンクリートの品質(強度・耐久性)は単位水量(練り混ぜ水の量)に大きく影響される。従ってJISや国土交通省の規定により、単位水量の上限は厳しく規制されている。にもかかわらず生コン車の運転手の多くはコンクリートがホッパーに固着する事を嫌い、ついつい生コン積載直後にホッパーを洗浄しており、その事により洗浄水が生コンに加わり、結果として生コンの単位水量の増加(品質低下)の一因となっている。
【課題を解決するための手段】
【０００４】
生コン車のホッパーをシートで保護する事により、生コンを積載した直後にホッパーを洗浄しなくてすむようにする。
【考案の効果】
【０００５】
生コン車のホッパーをシートで保護する事によりコンクリートのホッパーへの付着を防ぎ、また生コンの荷下ろし完了までホッパーを洗浄しなくてすむようにする事により、生コンの品質低下を防ぐ。
【考案を実施するための最良の形態】
【０００６】
前部保護シート、後部保護シート、後部補助(磨耗防止)シート、前部補助(雨除け)シートの４パーツで構成する。積載の際に磨耗の激しい後部シートに補助シートを併設することにより、補助シートへのコンクリート付着が促進したり補助シートが磨耗した場合には、その補助シートのみ安価に容易に交換できる。また前部保護シートに雨除けシートを併設することにより突然の雨による生コンの品質低下を防止する。
【０００７】
以下、添付図面に従って詳細を説明する。
まず(a)のシートをHのホッパー前部に上からかぶせる。次に(b)のシートをホッパー後部にかぶせる。若干伸縮性を持たせた紐の両端a-1とb-1・a-2とb-2をそれぞれ結合し前部シートと後部シートを一体化させる。この２枚のシートを基本仕様とする。
また積込みの際、最も磨耗の激しい(b)のシートにオプションとして(c)の補助シートを併設する。併設に際してはb-1からb-2の紐を兼用する。(a)のシートにはオプションとして(d)の雨除けシートを併設する。併設に際しては同じくa-1からa-2の紐を兼用する。また(d)の雨除けシートにe及びfの重りを内蔵する。f の棒状重りにより晴天時はシートを外側に巻き、前部に収納できる。
【産業上の利用可能性】
【０００８】
このシートを利用することにより、コンクリートの品質低下を予防できる。
【図面の簡単な説明】
【０００９】
【図１】本考案の４枚のシートの立体図である。
【図２】４枚のシートを装着した場合の垂直断面図である。
【符号の説明】
【００１０】
(a)  前部保護シート
(b)  後部保護シート
(c)  後部補助(磨耗防止)シート
(d)  前部補助(雨除け)シート
a 1 ~ a 2   前部紐
b 1 ~ b 2   後部紐
e   塊状重り
f   棒状重り
H  生コン車のホッパー
【図１】
0003126195.tif 000003
【図２】
0003126195.tif 000004
(57)【要約】【課題】本考案は、一冊のバインダ−に、定義された整理区分の記述又は分類した表と、それに対応した様式のリフィ−ルメモの綴じ込みを本開き状に取付け、共通の目的、価値観による情報収集を可能にする。【解決手段】本考案は、バインダ−本体１に、定義された整理区分を記述することが出来る用紙又は分類した表４を収納したポケット部２と、整理区分に対応した位置に設けた複数個の綴じ具６に、整理区分に合わせた情報の記録が可能な様式のリフィ−ルメモ７を綴じ込んだ基盤を、本開き状に取り付けて構成した。リフィ−ルメモを整理区分に対応させた位置に綴じ込んだことで、情報の的確な記録が可能となり、情報の蓄積と分析、情報の分類と整理にその使用価値は極めてて大きい。本バインダ−は簡便なものであり、利用に至便である。【選択図】図１
0003126192.tif 000002
【実用新案登録請求の範囲】
【請求項１】
一冊のバインダ−本体に、座標軸で定義された整理区分を記述することが出来る用紙又は分類した表と、複数個の綴じ具にリフィ−ルメモの綴じ込みを可能にした基盤とを、本開き状に取り付けたことを特徴とするバインダ−
【請求項２】
上記のバインダ−本体の一側に、整理区分を記述することが出来る用紙又は分類した表を収納するポケット部を設けた請求項１記載のバインダ−。
【請求項３】
上記の整理区分を記述することが出来る用紙又は分類した表に対応した位置の綴じ具に、整理区分に合わせた記録が可能な様式のリフィ−ルメモを綴じ込んだことを特徴とする請求項１または請求項２記載のバインダ−。
【考案の詳細な説明】
【技術分野】
【０００１】  本考案は、定義された整理区分の記述又は分類した表に対応した位置に、リフィ−ルメモを綴じ込んだバインダ−に関するものである。
【背景技術】
【０００２】  近時、システム手帳は優れた機能性を有し広く使用されており、更に、その他の機能性を加味した商品が提案されている。
【考案の開示】
【考案が解決しようとする課題】
【０００３】  各種のシステム手帳は、多くの機能が一冊にまとまっており、整理区分別の情報整理においては、リフイ−ルノ−トをバインダ−から外して個別の整理を必要とするため、経時的に整理区分別の情報の記録と情報の整理を一冊のバインダ−に収納保管出来るものの開発が要望されていた。【０００４】  本考案は、定義された整理区分の記述又は分類した表と、整理区分に合わせた情報の記録をすることが可能な様式のリフイ−ルメモを相対的に綴じ込み、共通の目的、価値観で情報を記録し、情報の蓄積と分析、情報の分類と整理を可能にすることで問題を解決しようとするものである。
【課題を解決するための手段】
【０００５】  本考案は、座標軸で定義された整理区分を記述することが出来る用紙又は分類した表を収納した透明なポケット部と、整理区分に対応した位置に複数個の綴じ具を設け、整理区分に合わせた情報の記録が可能な様式のリフイ−ルメモを綴じ込んだ基盤を、バインダ−本体に本開き状に取付けて使用することにより問題を解決している。
【考案の効果】
【０００６】  以上のことから明らかなように、本考案のバインダ−は、定義された整理区分又は分類した表に対応した位置に綴じ込んだリフィ−ルメモへの情報の記録で、情報の的確な収集、と蓄積、情報の分析、情報の分類整理が可能となる。【０００７】  本バインダ−は簡便なものであり、リフィ−ルメモが簡単に取り外せることで、情報の分類整理や蓄積が容易に出来る。【０００８】  本考案は、整理区分に対応したリフィ−ルメモへの情報の記録が情報特性を明確にするため、新たなマトリックス分析が可能となり、その使用価値は極めて大きい。
【考案を実施するための最良の形態】  以下、本考案の実施の形態について図面を参照して説明する。【０００９】  本考案のバインダ−本体１は、紙製、樹脂製又は皮製などで形成されている。【００１０】  一方は透明な袋状のポケット部２で、上部に書類の投入口３が開口しており、定義された整理区分を記述することが出来る用紙又は分類した表４が収納されている。【００１１】  他方の基盤５は、やや硬い樹脂製または硬い紙製で形成されており、４の整理区分の記述又は分類した表に対応させた位置に複数個の綴じ具６を設けている。【００１２】  綴じ具６は、一般の開閉可能な収納クリップである。【００１３】  バインダ−本体に、定義された整理区分を記述することが出来る用紙又は分類した表４を収納した袋状のポケット部２と、複数個の綴じ具６を設けた基盤のそれぞれの一側を、本開き状に取り付けている。【００１４】  複数個の綴じ具６には、整理区分に合わせた情報の記録が可能な様式のリフィ−ルメモ７を綴じ込んでいる。【００１５】  本バインダ−の一辺の長さについては、整理区分の内容や、リフィ−ルメモの大きさに対応させて、適宜使い易い大きさとする。
【実施例】
【００１６】  本バインダ−は、定義された整理区分の記述又は分類と、リフィ−ルメモが対応した位置にあり、使用に際して共通の目的、価値観をもって情報収集することを可能にした。【００１７】  複数の人が記録した同じ区分毎のリフイ−ルメモを合わせることで、より多くの情報が得られ、情報の蓄積、分析が可能になる。【００１８】  バインダ−自体が簡便なものであり、簡単な作業で、整理区分の資料やリフィ−ルメモの取外し交換が出来る【００１９】  本バインダ−は、整理区分の記述や分類の内容により、綴じ具の数を増やすことや、綴じ具に代えて袋状のポケットとすることが可能である。【００２０】  本バインダ−による情報収集は、情報の持つ特性を明確に把握することが可能となり、商品開発や営業戦略などのマ−ケティング活動やマトリックス分析に貢献するところが大である。【００２１】  本バインダ−による情報収集や記録された情報の蓄積は、学習用や個人情報としても利用でき、その使用範囲は極めて大きいものである。
【図面の簡単な説明】
【００２２】
【図１】本考案の斜視図
【符号の説明】
【００２３】１  バインダ−本体
２  ポケット部
３  開口部
４  整理区分資料
５  基盤
６  綴じ具
７  リフィ−ルメモ
【図１】
0003126192.tif 000003
(57)【要約】【課題】  握力の弱い年配の方や、子供、女性でも小さな力で容易に開けることができ、また、持ち運ぶ際にペットボトルの内容物の冷たい、熱いといった温度を直に感じることなく持つことのできる機能を有したペットボトルキャップを提供する。【解決手段】  ペットボトルのボトルキャップ（２）の上部形状を、Ｔ字形状（３）に成型したことを特徴とする。【選択図】図１
0003126191.tif 000002
【実用新案登録請求の範囲】
【請求項１】
ペットボトルのボトルキャップ（２）の上部形状を、Ｔ字形状（３）に成型したペットボトルキャップ。
【考案の詳細な説明】
【考案の詳細な説明】
【技術分野】
【０００１】  この考案は、ペットボトルのキャップを開けやすく、また持ち運びに便利な形状にしたペットボトルキャップに関するものである。
【背景技術】
【０００２】  従来、ペットボトルのキャップは円形状で口径も小さいため開けづらく、また持ち運びのための機能は有してなかった。
【考案が解決しようとする課題】
【０００３】  これは次のような欠点があった。
（イ）初めてキャップを開ける時に、キャップの口径が小さく形状も円形のため、開けづらく大きな力が必要であった。特に年配の方、子供、女性といった握力の弱い人は、自分では開けられず他の人の手助けが必要になる場合が多かった。
（ロ）ペットボトルを持ち運ぶ際にボトル本体を持つことで、内容物の冷たさや熱さが直接手に伝わり不快感があった。また、それを避けようとキャップ部を持った場合は、取っ掛かりが少ないため手に痛みを伴うことが多かった。
本考案は、これらの欠点を除くためになされたものである。
【課題を解決するための手段】
【０００４】  ペットボトル本体（１）のボトルキャップ（２）の上部がＴ字形状（３）になるように一体的に成型する。
本考案は、以上のような構成よりなる開けやすく持ち運びに便利なペットボトルキャップである。
【考案を実施するための最良の形態】
【０００５】  以上の構成であるから、本考案を使用するときは、ペットボトル本体（１）を片手に持ち、もう一方の手でボトルキャップ（２）のＴ字形状（３）を握り、ねじることで小さな力で簡単にキャップを開けることができる。
また、持ち運ぶ時はボトルキャップ（２）のＴ字形状（３）の下部に指を引っ掛けることで、内容物の温度を感じず快適に持ち運ぶことができる。
【考案の効果】
【０００６】  本考案は以上のような構造だから、従来のボトルキャップでは口径が小さくて円形のため栓を開けづらかった年配の方、子供、女性の方にも、ペットボトル本体（１）を片手に持ち、一方の手でＴ字形状（３）をねじることで、テコの原理を利用し小さな力で簡単にキャップを開けることができる。
また、ボトルキャップ（２）のＴ字形状（３）の下部に指を掛けることで、ペットボトル本体（１）の内容物がどんなに冷たくても熱くても、熱を感じることなく持つことができる。そのため手にかかる不快感に煩わされることなく、快適に持ち運ぶことができる。また、直接ペットボトル本体（１）を持たなくても良いため、手の温度によって不必要に内容物を温めることがない。
なお、Ｔ字形状（３）は、図５に示すように、テコの原理が生きる形状を保てれば、果物や動物、植物、半円形、ロゴなど色々なデザイン（４）を施すこともできる。
また、Ｔ字形状（３）に、商品名や企業名、ＵＲＬ、メールアドレス、告知等といった様々な情報をプリントすることで、コマーシャル効果が高くなる。
【図面の簡単な説明】
【図１】本考案の正面図である。
【図２】本考案の側面図である。
【図３】本考案のＴ字形状下部に指を掛けた場合の正面図である。
【図４】本考案のＴ字形状下部に指を掛けた場合の側面図である。
【図５】本考案の他の実施例を示す正面図である。
【符号の説明】
１  ペットボトル本体    ２  ボトルキャップ    ３  Ｔ字形状
４  色々なデザイン      ５  様々な情報プリント部
【図１】
0003126191.tif 000003
【図２】
0003126191.tif 000004
【図３】
0003126191.tif 000005
【図４】
0003126191.tif 000006
【図５】
0003126191.tif 000007
(57)【要約】【課題】フード付き衣料は通常時の着用の他、運動着として用いられる事が多いが、その際、携帯ラジオや携帯式音楽再生機器を使用しながら運動しようとすれば、それらの機器を首から下げるか、前部にあるポケットに収納する事になり、機器本体は勿論、配線などが快適な運動を妨げる事になりこれを解決したい。【解決手段】フード付き衣料のフード部に携帯ラジオや携帯式音楽再生機器を収納出来るポケットを作りそこへ収納する。これによりいままで体の前部にあった携帯ラジオや携帯式音楽再生機器を体の後部へ移す。また、ヘッドフォンの配線等を後部から耳へとりまわし快適な運動を妨げないようにした。【選択図】図１
0003126161.tif 000002
【実用新案登録請求の範囲】
【請求項１】
フード付き衣服のフード部（図１Ａ部）に図２のＢ部のようなポケットを作り携帯ラジオや携帯式音楽再生機器が入るようにする。
【考案の詳細な説明】
【技術分野】
【０００１】本考案は、フード付き衣料のフード部の利用に関するものである。
【背景技術】
【０００２】フード付き衣料は通常時の着用の他、運動着として用いられる事が多いが、その際、携帯ラジオや携帯式音楽再生機器を使用しながら運動しようとすれば、それらの機器を首から下げるか、前部にあるポケットに収納する事になり、機器本体は勿論、配線などが快適な運動を妨げる事になる。
【考案の開示】
【考案が解決しようとする課題】
【０００３】解決しようとする問題点は、携帯ラジオや携帯式音楽再生機器を首から下げたり、前部のポケットに収納するのではなく、極力運動の妨げにならない場所に収納する。
【課題を解決するための手段】
【０００４】本考案は、フード付き衣料のフード部分に収納ポケットを付け、そこに携帯ラジオや携帯式音楽再生機器を収納する。
【考案の効果】
【０００５】フード付き衣料のフード部に付けた収納ポケットに携帯ラジオや携帯式音楽再生機器を収納することにより、体の前部に重量物がなくなり更に運動の妨げとなるヘッドフォンの配線もフード部から耳へ入るため短くなり快適な運動が可能となる。
【考案を実施するための最良の形態】
【０００６】普及率の高い携帯ラジオ、携帯式音楽再生機器のサイズに合わせる事によりより多くの使用者に対応出来る。
【図面の簡単な説明】
【０００７】
【図１】フード付き衣料のフード部分にポケットを付ける位置の説明図である。
【図２】フード部に付けられたポケットの形状の説明図である。
【図１】
0003126161.tif 000003
【図２】
0003126161.tif 000004
【手続補正書】
【提出日】平成18年7月16日(2006.7.16)
【手続補正１】
【補正対象書類名】実用新案登録請求の範囲
【補正対象項目名】全文
【補正方法】変更
【補正の内容】
【実用新案登録請求の範囲】
【請求項１】
フード部に収納ポケットを付けてなることを特徴とするポケット付きフード付き衣料。
【手続補正３】
【補正対象書類名】明細書
【補正対象項目名】０００６
【補正方法】変更
【補正の内容】
【０００６】図１に示すように、フード付き衣料のフード部Ａの図示の位置に収納ポケットＢを付ける。収納ポケットＢの形状は、図２に示すような形状が好ましい。
収納ポケットＢの大きさは普及率の高い携帯ラジオ、携帯式音楽再生機器のサイズに合わせる事により、より多くの使用者に対応する事が出来る。
(57)【要約】【課題】電気湯たんぽは水に塩などの不純物を入れ、その液体に交流電圧をかけ、液体を発熱体として温度上昇をさせるか、ヒーターを利用して水の温度上昇をさせている。水に不純物を入れず、安全に、短時間に温度上昇をさせることが課題である。【解決手段】交流端子に、数多くの穴が開いた金属板、即ち、交流端子金属板７を接続し、一方の交流端子に数多く穴が開いた金属板、即ち、交流端子金属板８を接続する。交流端子金属板８は交流端子金属板７を両側から挟む、或いは、包む。又その間隔は極めて短い間隔に設置し、その全体をプラスチックなどの絶縁物でカバーする。交流端子金属板に交流電圧を印加すると水が発熱体となり、交流端子金属板の数多くの穴で対流がおこり、短時間に温度上昇を起こす。又、発熱装置以外の水中では、交流電圧が安全電圧３０Ｖ以下になる。【選択図】図１
0003126167.tif 000002
【実用新案登録請求の範囲】
【請求項１】
交流端子に数多くの穴が開いた金属板を接続し、もう一方の交流端子にも数多くの穴が開いた金属板を接続し、この金属板が前述の金属板を非常に短い間隔で上下、或いは、両側から挟むか、包む発熱装置。
【請求項２】
温度上昇時間を金属板の面積、及び、金属板間の距離で決定する発熱装置。
【請求項３】
プラスチックなどの絶縁物でカバーされ、水中での交流電圧が交流３０Ｖ以下の安全な発熱装置。
【考案の詳細な説明】
【技術分野】
【０００１】
本考案は、電気湯たんぽの熱源として、ヒーターなど使わず、水に交流電圧をかけ、水を直接温める装置に関するものである。
【背景技術】
【０００２】
電気湯たんぽは、水に塩などの不純物を入れ、その液体に交流電圧を印加し、液体を発熱体として温度上昇をさせるか、ヒーターを利用して水の温度上昇をさせている。
【０００３】
その改善策として、水に塩などの不純物を入れず、又、ヒーターなどの発熱体を使用せず、水に交流電圧を印加し、水を発熱体として温度上昇を行なう。
【特許文献１】実用新案昭５８−１８８９７
【考案の開示】
【考案が解決しようとする課題】
【０００４】
本考案は、電気湯たんぽの水を如何に安く、安全に、短時間に温めるかが課題です。
【課題を解決するための手段】
【０００５】
本考案は上述の課題を解決する為に、交流電圧を水に印加し、水が発熱する装置を提供するものである。
【考案の効果】
【０００６】
プラスチックなどの絶縁体でカバーされた発熱装置が水中に設置されているが、発熱装置以外の場所での交流電圧が、安全電圧３０Ｖ以下となる。
【０００７】
電気湯たんぽが裂けても安全電圧以下であり、安全である。
【０００８】
水を発熱体として使用し、短時間に温度上昇をさせることができる。
【０００９】
発熱装置を安価に製造できる。
【考案を実施するための最良の形態】
【００１０】
２枚の交流端子金属板を水中に入れ、1個の交流端子金属板を別の交流端子金属板で挟むか、包み込むように設置して、その交流端子金属板間で電流を流すことです。
【実施例】
【００１１】
図１、図２を用い、本発熱装置を説明します。
電気湯たんぽは電源コード１、湯たんぽ３で構成されており、湯たんぽの構造は電源ソケット２、バイメタルなどのサーモスタット４、ヒューズなどの安全機構５、ＬＥＤなどの表示器６、プラスチックなどの絶縁物で囲われた発熱装置１１で形成されております。発熱装置１１は数多くの穴が開いた交流端子金属板７と、交流端子金属板７を挟み込む形で設置された交流端子金属板８で形成されております。水９を発熱体として、交流端子板７と交流端子板８との間に電流が流れ、数多くの穴が対流を起こし、水が温かくなります。
【産業上の利用可能性】
【００１２】
本考案は安全で、安価で水を温めることができ、電気湯たんぽ、水を沸かす道具として使用できる。
【図面の簡単な説明】
【００１３】
【図１】電気湯たんぽ配線図
【符号の説明】
【００１４】
１  電源コード、プラグ
２  電源ソケット
３  湯たんぽ
４  バイメタルなどのサーモスタット
５  ヒューズなどの安全機構
６  ＬＥＤなどの表示器
７  交流端子金属板  
８  交流端子金属板
９  水
１０  穴
１１  プラスチックなどの絶縁物でカバーされた発熱装置
【図１】
0003126167.tif 000003
【手続補正書】
【提出日】平成18年7月27日(2006.7.27)
【手続補正１】
【補正対象書類名】実用新案登録請求の範囲
【補正対象項目名】請求項２
【補正方法】変更
【補正の内容】
【請求項２】
温度上昇時間が金属板の面積、及び、金属板間の距離で決定される請求項１記載の発熱装置
【手続補正２】
【補正対象書類名】実用新案登録請求の範囲
【補正対象項目名】請求項３
【補正方法】変更
【補正の内容】
【請求項３】
プラスチックなどの絶縁物でカバーされ、水中の交流電圧が交流３０Ｖ以下になる請求項１記載の発熱装置。